【手続補正書】
【提出日】平成17年12月26日(2005.12.26)
【手続補正１】
【補正対象書類名】明細書
【補正対象項目名】特許請求の範囲
【補正方法】変更
【補正の内容】
【特許請求の範囲】
【請求項１】  光源部からの光束で被照明面を照明する照明装置であって、
前記被照明面上での光強度分布を均一化する機能を有するロッドインテグレーターと、
前記ロッドインテグレーターからの光束で前記被照明面を照明する光学系とを有しており、
前記ロッドインテグレーターが硼珪ガラスより成ることを特徴とする照明装置。
【請求項２】  光源部からの光束で被照明面を照明する照明装置であって、
前記被照明面上での光強度分布を均一化する機能を有するロッドインテグレーターと、
前記ロッドインテグレーターからの光束で前記被照明面を照明する光学系とを有しており、
可視光の短波長側の波長をλａとしたとき
λａ＜４００ｎｍ
を満足する波長λａから長波長側の可視域において、該ロッドインテグレーターはその厚み１０ｍｍのときの透過率が８０％以上であることを特徴とする照明装置。
【請求項３】  光源部からの光束で被照明面を照明する照明装置であって、
前記被照明面上での光強度分布を均一化する機能を有するロッドインテグレーターと、
前記ロッドインテグレーターからの光束で前記被照明面を照明する光学系とを有しており、該ロッドインテグレーターは硼珪ガラスの材質より成り、かつ可視光の短波長側の波長をλａとしたとき
λａ＜４００ｎｍ
を満足する波長λａから長波長側の可視域において、該ロッドインテグレーターはその厚み１０ｍｍのときの透過率が８０％以上であることを特徴とする照明装置。
【請求項４】  前記光源部は光源と該光源からの光束で該光源の像を形成するリフレクターを有していることを特徴とする請求項１，２又は３の照明装置。
【請求項５】  前記光学系はリレーレンズ群と光学素子を有していることを特徴とする請求項１，２，３又は４の照明装置。
【請求項６】  光源からの光束で該光源の像を形成するリフレクター、該リフレクターで形成した光源像からの光束より、複数の光源像を形成するロッドインテグレーター、前記複数の光源像より２次光源像を作るリレーレンズ群、該２次光源像からの光束を被照射面に導く光学素子とを有する照明装置において、該ロッドインテグレーターは硼珪ガラスの材質より成り、かつ可視光の短波長側の波長をλａとしたとき
λａ＜４００ｎｍ
を満足する波長λａから長波長側の可視域において、該ロッドインテグレーターはその厚み１０ｍｍのときの透過率が８０％以上であることを特徴とする照明装置。
【請求項７】  前記ロッドインテグレーターの入射面近傍に光源側に凸面を向けたメニスカス形状のレンズを配置していることを特徴とする請求項１，２又は３の照明装置。
【請求項８】  前記ロッドインテグレーターの射出面の長手断面の長さをＤ、該ロッドインテグレーターの光軸方向の長さをＬとしたとき
７．５＜Ｌ／Ｄ＜９．０
を満足することを特徴とする請求項１，２，３又は７の照明装置。
【請求項９】  前記ロッドインテグレーターは、角度テーパ面を有することを特徴とする請求項１，２，３又は７の照明装置。
【請求項１０】  前記２次光源像の形成される面又はその近傍に絞りを有し、前記リレーレンズ群は少なくとも２枚のレンズを有し、該リレーレンズ群の最終レンズ面から前記２次光源像までの空気換算距離をＩＭＤ、該絞りの長い断面の開口径の大きさをＤＩＡとしたとき
ＤＩＡ／７．２＜ＩＭＤ
を満足することを特徴とする請求項６の照明装置。
【請求項１１】  前記リレーレンズ群は、少なくとも２枚のレンズを有し、該リレーレンズ群の焦点距離をｆｒ、前記ロッドインテグレーターの射出面から該リレーレンズ群の前記光源側の主点位置までの距離をＯＬ１としたとき
０．９＜ＯＬ１／ｆｒ＜１．１
を満足することを特徴とする請求項６又は１０の照明装置。
【請求項１２】  前記光学素子は前記２次光源像を無限遠位置に結像していることを特徴とする請求項６，１０又は１１の照明装置。
【請求項１３】  前記光学素子はフレネルレンズ又は球面レンズ又は非球面レンズより成っていることを特徴とする請求項６，１０，１１又は１２の照明装置。
【請求項１４】  画像表示素子と、
前記画像表示素子を照明する、請求項１乃至１３いずれかに記載の照明装置と、
前記画像表示素子からの光を被投影面に投影する投影光学系とを有しており、
前記画像表示素子が前記被照明面の位置に配置されていることを特徴とする投影装置。
【手続補正２】
【補正対象書類名】明細書
【補正対象項目名】００１３
【補正方法】変更
【補正の内容】
【００１３】
【課題を解決するための手段】
請求項１の発明の照明装置は、光源部からの光束で被照明面を照明する照明装置であって、
前記被照明面上での光強度分布を均一化する機能を有するロッドインテグレーターと、
前記ロッドインテグレーターからの光束で前記被照明面を照明する光学系とを有しており、
前記ロッドインテグレーターが硼珪ガラスより成ることを特徴としている。
【手続補正３】
【補正対象書類名】明細書
【補正対象項目名】００１４
【補正方法】変更
【補正の内容】
【００１４】
請求項２の発明の照明装置は、光源部からの光束で被照明面を照明する照明装置であって、
前記被照明面上での光強度分布を均一化する機能を有するロッドインテグレーターと、
前記ロッドインテグレーターからの光束で前記被照明面を照明する光学系とを有しており、
可視光の短波長側の波長をλａとしたとき
λａ＜４００ｎｍ
を満足する波長λａから長波長側の可視域において、該ロッドインテグレーターはその厚み１０ｍｍのときの透過率が８０％以上であることを特徴としている。
【手続補正４】
【補正対象書類名】明細書
【補正対象項目名】００１５
【補正方法】変更
【補正の内容】
【００１５】
請求項３の発明の照明装置は、光源部からの光束で被照明面を照明する照明装置であって、
前記被照明面上での光強度分布を均一化する機能を有するロッドインテグレーターと、
前記ロッドインテグレーターからの光束で前記被照明面を照明する光学系とを有しており、該ロッドインテグレーターは硼珪ガラスの材質より成り、かつ可視光の短波長側の波長をλａとしたとき
λａ＜４００ｎｍ
を満足する波長λａから長波長側の可視域において、該ロッドインテグレーターはその厚み１０ｍｍのときの透過率が８０％以上であることを特徴としている。
【手続補正５】
【補正対象書類名】明細書
【補正対象項目名】００１６
【補正方法】変更
【補正の内容】
【００１６】
請求項４の発明は、請求項１、２又は３の発明において、前記光源部は光源と該光源からの光束で該光源の像を形成するリフレクターを有していることを特徴としている。
【手続補正６】
【補正対象書類名】明細書
【補正対象項目名】００１７
【補正方法】変更
【補正の内容】
【００１７】
請求項５の発明は、請求項１、２、３又は４の発明において、前記光学系はリレーレンズ群と光学素子を有していることを特徴としている。
【手続補正７】
【補正対象書類名】明細書
【補正対象項目名】００１８
【補正方法】変更
【補正の内容】
【００１８】
請求項６の発明の照明装置は、光源からの光束で該光源の像を形成するリフレクター、該リフレクターで形成した光源像からの光束より、複数の光源像を形成するロッドインテグレーター、前記複数の光源像より２次光源像を作るリレーレンズ群、該２次光源像からの光束を被照射面に導く光学素子とを有する照明装置において、該ロッドインテグレーターは硼珪ガラスの材質より成り、かつ可視光の短波長側の波長をλａとしたとき
λａ＜４００ｎｍ
を満足する波長λａから長波長側の可視域において、該ロッドインテグレーターはその厚み１０ｍｍのときの透過率が８０％以上であることを特徴としている。
【手続補正８】
【補正対象書類名】明細書
【補正対象項目名】００１９
【補正方法】変更
【補正の内容】
【００１９】
請求項７の発明は、請求項１、２又は３の発明において、前記ロッドインテグレーターの入射面近傍に光源側に凸面を向けたメニスカス形状のレンズを配置していることを特徴としている。
【手続補正９】
【補正対象書類名】明細書
【補正対象項目名】００２０
【補正方法】変更
【補正の内容】
【００２０】
請求項８の発明は、請求項１、２、３又は７の発明において、前記ロッドインテグレーターの射出面の長手断面の長さをＤ、該ロッドインテグレーターの光軸方向の長さをＬとしたとき
７．５＜Ｌ／Ｄ＜９．０
を満足することを特徴としている。
【手続補正１０】
【補正対象書類名】明細書
【補正対象項目名】００２１
【補正方法】変更
【補正の内容】
【００２１】
請求項９の発明は、請求項１、２、３又は７の発明において、前記ロッドインテグレーターは、角度テーパ面を有することを特徴としている。
【手続補正１１】
【補正対象書類名】明細書
【補正対象項目名】００２２
【補正方法】変更
【補正の内容】
【００２２】
請求項１０の発明は、請求項６の発明において、前記２次光源像の形成される面又はその近傍に絞りを有し、前記リレーレンズ群は少なくとも２枚のレンズを有し、該リレーレンズ群の最終レンズ面から前記２次光源像までの空気換算距離をＩＭＤ、該絞りの長い断面の開口径の大きさをＤＩＡとしたとき
ＤＩＡ／７．２＜ＩＭＤ
を満足することを特徴としている。
【手続補正１２】
【補正対象書類名】明細書
【補正対象項目名】００２３
【補正方法】変更
【補正の内容】
【００２３】
請求項１１の発明は、請求項６又は１０の発明において、前記リレーレンズ群は、少なくとも２枚のレンズを有し、該リレーレンズ群の焦点距離をｆｒ、前記ロッドインテグレーターの射出面から該リレーレンズ群の前記光源側の主点位置までの距離をＯＬ１としたとき
０．９＜ＯＬ１／ｆｒ＜１．１
を満足することを特徴としている。
【手続補正１３】
【補正対象書類名】明細書
【補正対象項目名】００２４
【補正方法】変更
【補正の内容】
【００２４】
請求項１２の発明は、請求項６、１０又は１１の発明において、前記光学素子は前記２次光源像を無限遠位置に結像していることを特徴としている。
【手続補正１４】
【補正対象書類名】明細書
【補正対象項目名】００２５
【補正方法】変更
【補正の内容】
【００２５】
請求項１３の発明は、請求項６、１０、１１又は１２の発明において、前記光学素子はフレネルレンズ又は球面レンズ又は非球面レンズより成っていることを特徴としている。
【手続補正１５】
【補正対象書類名】明細書
【補正対象項目名】００２６
【補正方法】変更
【補正の内容】
【００２６】
請求項１４の発明の撮影装置は、画像表示素子と、
前記画像表示素子を照明する、請求項１乃至１３いずれかに記載の照明装置と、
前記画像表示素子からの光を被投影面に投影する投影光学系とを有しており、
前記画像表示素子が前記被照明面の位置に配置されていることを特徴としている。
【手続補正１６】
【補正対象書類名】明細書
【補正対象項目名】００３４
【補正方法】変更
【補正の内容】
【００３４】
Ｇ１はリレーレンズ群６の光源１側に設けた平凸レンズであり、ＳＴＰは平面である。ＯＬ１はロットインテグレーター５の射出面（リレーレンズ群６の平面）ＳＴＰからリレーレンズ群の前側主平面までの距離である。ＩＭＤはリレーレンズ群の最終レンズ面から２次光源面ＩＭＧまでの距離である。尚、これらは図５，図６においても同様である。